(57)【要約】【課題】  ユーザ端末のパケット通信中に当該ユーザ端末に対する他の通信サービスの着信が発生した場合に、ユーザが自らの意思でフレキシブルに何れかの通信サービスを選択することを可能とする着信処理選択システム、ユーザ端末、交換機、及び、着信処理選択方法を提供する。【解決手段】  ユーザ端末１０がパケット通信中にテレビ電話着信が発生した旨の通知をＭＳＣ／ＧＭＳＣ２０から受けた場合に、選択部１１はディスプレイにユーザ選択画面を表示することにより、テレビ電話優先とパケット通信優先との何れか一方をユーザに選択させる。テレビ電話優先が選択された場合には、着信優先部１３１，２３１はパケット通信の切断処理を行った後にテレビ電話の着信処理を行う。一方、パケット通信優先が選択された場合には、パケット通信優先部１３２，２３２は、テレビ電話着信の切断処理を行うと共にパケット通信を継続する。【選択図】  図１
2007019999.tif 000002
【特許請求の範囲】
【請求項１】
ユーザ端末のパケット通信中に該ユーザ端末に対する他の通信サービスの着信が発生した場合に、前記パケット通信と前記着信との何れを優先するかをユーザに選択させる選択手段と、
前記選択手段により前記着信の優先が選択された場合には、前記パケット通信の切断処理を実施した後に前記他の通信サービスの着信処理を実施する着信優先手段と、
前記選択手段により前記パケット通信の優先が選択された場合には、前記他の通信サービスの着信の切断処理を実施すると共に前記パケット通信を継続するパケット通信優先手段と
を備えることを特徴とする着信処理選択システム。
【請求項２】
自端末のパケット通信中に自端末に対する他の通信サービスの着信が発生した旨の通知を受信した場合に、前記パケット通信と前記着信との何れを優先するかをユーザに選択させる選択手段と、
前記選択手段による選択があるまで、前記他の通信サービスの着信に対する発側への呼出中の通知処理は行いつつ、着信に関わる処理を待ち合わせる待合手段と
を備えることを特徴とするユーザ端末。
【請求項３】
前記選択手段による選択結果に応じて、前記パケット通信と前記他の通信サービスとの何れか一方の通信を接続するように制御を行う接続制御手段をさらに備えることを特徴とする
請求項２に記載のユーザ端末。
【請求項４】
前記接続制御手段は、
前記選択手段により前記着信の優先が選択された場合に、
前記パケット通信の切断を実施するためのパケット通信切断要求を送信し、
前記パケット通信の切断が完了した旨の通知を受信した後に、前記他の通信サービス用の伝送路を接続するための着信接続応答を送信することを特徴とする
請求項３に記載のユーザ端末。
【請求項５】
前記接続制御手段は、
前記選択手段により前記パケット通信の優先が選択された場合に、
前記他の通信サービスの着信を切断するための着信切断要求を送信すると共に前記パケット通信を継続することを特徴とする
請求項３又は４に記載のユーザ端末。
【請求項６】
前記接続制御手段は、
前記選択手段により前記パケット通信の優先が選択された場合に、
前記他の通信サービスの着信の切断理由を発側のユーザ端末に送信することを特徴とする
請求項５に記載のユーザ端末。
【請求項７】
ユーザ端末に対してある通信サービスの着信が発生した場合に、前記ユーザ端末の通信状態を確認する通信状態確認手段と、
前記通信状態確認手段によって前記ユーザ端末がパケット通信中であることが確認された場合に、前記ある通信サービスを接続するために必要となる伝送路の確立を待ち合わせる待合手段と、
パケット通信中に前記ある通信サービスの着信が発生した旨の通知を前記ユーザ端末に送信する通知手段と
を備えることを特徴とする交換機。
【請求項８】
前記ユーザ端末を利用するユーザによって前記ある通信サービスの着信を優先する旨の選択がなされた場合に、前記パケット通信の切断処理完了後に前記ある通信サービスの着信を実施するための処理を行う着信優先手段をさらに備えることを特徴とする
請求項７に記載の交換機。
【請求項９】
前記ユーザ端末を利用するユーザによって前記パケット通信を優先する旨の選択がなされた場合に、前記ある通信サービスの着信の切断時に前記ユーザ端末から送信されてきた前記着信の切断理由を発側のユーザ端末に転送する転送手段をさらに備えることを特徴とする
請求項７又は８に記載の交換機。
【請求項１０】
ユーザ端末に対してある通信サービスの着信が発生した場合に、交換機が、前記ユーザ端末の通信状態を確認する通信状態確認ステップと、
前記通信状態確認ステップにおいて前記ユーザ端末がパケット通信中であることが確認された場合に、前記交換機が、パケット通信中に前記ある通信サービスの着信が発生した旨の通知を前記ユーザ端末に送信する通知ステップと、
前記ユーザ端末が、前記通知ステップにおける通知を契機として、前記パケット通信と前記着信との何れを優先するかをユーザに選択させる選択ステップと、
前記選択ステップにおける選択結果に応じて、前記パケット通信の切断処理を実施した後に前記ある通信サービスの着信処理を実施する着信優先処理と、前記ある通信サービスの着信の切断処理を実施すると共に前記パケット通信を継続するパケット通信優先処理と、の何れか一方を実施する接続制御ステップと
を有することを特徴とする着信処理選択方法。
【発明の詳細な説明】
【技術分野】
【０００１】
本発明は、パケット通信中に他の通信サービスが着信した場合の接続制御を実施する着信処理選択システム、ユーザ端末、交換機、及び、着信処理選択方法に関するものである。
【背景技術】
【０００２】
音声通話機能に加えて、電子メールやインターネット接続等のパケット通信機能を備えた携帯電話機が普及している。このような複数の通信サービスを利用することが可能な携帯電話機においては、パケット通信中に、音声着信、テレビ電話着信、ＶｏＩＰ（Voice over Internet Protocol）着信等、他の通信サービスの着信が発生する場合がある。その際の従来における接続制御方式として、以下のものが存在する。
（１）現在通信中のパケット通信を優先し、後から発生した他の通信サービスの着信を規制する方式
（２）パケット通信と他の通信サービスとを同時に利用するマルチコールの方式
【０００３】
しかし、以上のような方式では、着信を受けたユーザは、パケット通信を優先するか他の通信サービスの着信を優先するかを自らの意志で選択することができない。また、（２）のように、パケット通信と他の通信サービスとを同時に利用する場合には、それぞれの通信サービスについて無線ベアラを確立する必要がある。このため、１ユーザが無線リソースを含むネットワークリソースを多く専有することとなり、ネットワークリソースを有効に活用することができないという問題点がある。
携帯電話機のパケット通信中に音声着信が発生した場合に、音声着信とパケット通信との何れを優先するかを事前にユーザが設定可能とする技術も存在する（例えば、特許文献１参照）。
【特許文献１】特開２００３−２１９４７１号公報（段落００２９〜００３３）
【発明の開示】
【発明が解決しようとする課題】
【０００４】
しかしながら、特許文献１に記載の技術を用いた場合には、事前設定のためのユーザ入力の手間が必要となる。また、事前設定した場合には、ユーザは着信時の状況や発側のユーザが誰であるか等に応じてどちらの通信サービスを優先するかをフレキシブルに選択することができない。さらに、特許文献１では接続制御の仕組みが検討されておらず、１台のユーザ端末が多くのネットワークリソースを専有してしまう可能性がある。
本発明は、上記の問題点に鑑みてなされたものであり、ユーザ端末のパケット通信中に当該ユーザ端末に対する他の通信サービスの着信が発生した場合に、ユーザが自らの意思でフレキシブルに何れかの通信サービスを選択することを可能とする着信処理選択システム、ユーザ端末、交換機、及び、着信処理選択方法を提供することを目的とする。
【課題を解決するための手段】
【０００５】
上記課題を解決するために、請求項１に記載の発明は、ユーザ端末のパケット通信中に該ユーザ端末に対する他の通信サービスの着信が発生した場合に、前記パケット通信と前記着信との何れを優先するかをユーザに選択させる選択手段と、前記選択手段により前記着信の優先が選択された場合には、前記パケット通信の切断処理を実施した後に前記他の通信サービスの着信処理を実施する着信優先手段と、前記選択手段により前記パケット通信の優先が選択された場合には、前記他の通信サービスの着信の切断処理を実施すると共に前記パケット通信を継続するパケット通信優先手段とを備えることを特徴とする着信処理選択システムを提供する。
【０００６】
この発明によれば、着信処理選択システムは、ユーザ端末のパケット通信中に他の通信サービスの着信が発生した場合に、パケット通信と他の通信サービスとの何れを優先するかをユーザに自らの意思でフレキシブルに選択させることが可能となる。また、何れの通信サービスが選択されたとしても、パケット通信と他の通信サービスとの両方の伝送路を同時に接続しないように接続制御を行うことができるため、１台のユーザ端末が多くのネットワークリソースを専有するのを防ぐことができる。
【０００７】
請求項２に記載の発明は、自端末のパケット通信中に自端末に対する他の通信サービスの着信が発生した旨の通知を受信した場合に、前記パケット通信と前記着信との何れを優先するかをユーザに選択させる選択手段と、前記選択手段による選択があるまで、前記他の通信サービスの着信に対する発側への呼出中の通知処理は行いつつ、着信に関わる処理を待ち合わせる待合手段とを備えることを特徴とするユーザ端末を提供する。
【０００８】
この発明によれば、ユーザ端末は、自端末のパケット通信中に自端末に対する他の通信サービスの着信が発生した旨の通知を受けた場合に、パケット通信と着信との何れを優先するかをユーザに選択させ、該選択があるまで他の通信サービスの着信に関わる処理を待ち合わせるため、ユーザは、着信が発生した時点で、パケット通信と他の通信サービスとの何れを優先するかを自己の意思でフレキシブルに選択することが可能となる。
【０００９】
請求項３に記載の発明は、請求項２に記載のユーザ端末において、前記選択手段による選択結果に応じて、前記パケット通信と前記他の通信サービスとの何れか一方の通信を接続するように制御を行う接続制御手段をさらに備えることを特徴とする。
この発明によれば、ユーザ端末は、選択手段による選択結果に応じて、パケット通信と他の通信サービスとの何れか一方の通信を接続するように制御を行うため、同時に複数の通信を接続しないように制御することができ、１台のユーザ端末が多くのネットワークリソースを専有するのを防ぐことができる。
【００１０】
請求項４に記載の発明は、請求項３に記載のユーザ端末において、前記接続制御手段は、前記選択手段により前記着信の優先が選択された場合に、前記パケット通信の切断を実施するためのパケット通信切断要求を送信し、前記パケット通信の切断が完了した旨の通知を受信した後に、前記他の通信サービス用の伝送路を接続するための着信接続応答を送信することを特徴とする。
この発明によれば、パケット通信の切断が完了した後に他の通信サービス用の伝送路を接続することができるため、１台のユーザ端末が多くのネットワークリソースを専有するのを防ぐことができる。
【００１１】
請求項５に記載の発明は、請求項３又は４に記載のユーザ端末において、前記接続制御手段は、前記選択手段により前記パケット通信の優先が選択された場合に、前記他の通信サービスの着信を切断するための着信切断要求を送信すると共に前記パケット通信を継続することを特徴とする。
この発明によれば、ユーザ端末が多くのネットワークリソースを専有しないように、パケット通信優先時の接続制御を行うことができる。
【００１２】
請求項６に記載の発明は、請求項５に記載のユーザ端末において、前記接続制御手段は、前記選択手段により前記パケット通信の優先が選択された場合に、前記他の通信サービスの着信の切断理由を発側のユーザ端末に送信することを特徴とする。
この発明によれば、発側のユーザは着信の切断理由を確認することができ、ユーザの利便性を高めることができる。
【００１３】
請求項７に記載の発明は、ユーザ端末に対してある通信サービスの着信が発生した場合に、前記ユーザ端末の通信状態を確認する通信状態確認手段と、前記通信状態確認手段によって前記ユーザ端末がパケット通信中であることが確認された場合に、前記ある通信サービスを接続するために必要となる伝送路の確立を待ち合わせる待合手段と、パケット通信中に前記ある通信サービスの着信が発生した旨の通知を前記ユーザ端末に送信する通知手段とを備えることを特徴とする交換機を提供する。
この発明によれば、ユーザ端末は、パケット通信中にある通信サービスの着信が発生した場合にその旨の通知を即座に受けることができ、ユーザ端末を利用するユーザに対して、パケット通信とある通信サービスの着信との何れを優先するかを選択させることができる。
【００１４】
請求項８に記載の発明は、請求項７に記載の交換機において、前記ユーザ端末を利用するユーザによって前記ある通信サービスの着信を優先する旨の選択がなされた場合に、前記パケット通信の切断処理完了後に前記ある通信サービスの着信を実施するための処理を行う着信優先手段をさらに備えることを特徴とする。
この発明によれば、パケット通信の切断処理完了後にある通信サービスの着信を実施するための処理を行うため、多くのネットワークリソースを専有することなく、パケット通信からある通信サービスに切り替えることができる。
【００１５】
請求項９に記載の発明は、請求項７又は８に記載の交換機において、前記ユーザ端末を利用するユーザによって前記パケット通信を優先する旨の選択がなされた場合に、前記ある通信サービスの着信の切断時に前記ユーザ端末から送信されてきた前記着信の切断理由を発側のユーザ端末に転送する転送手段をさらに備えることを特徴とする。
この発明によれば、発側のユーザは、ある通信サービスの着信の切断理由を知ることができるため、ユーザの利便性を向上させることができる。
【００１６】
請求項１０に記載の発明は、ユーザ端末に対してある通信サービスの着信が発生した場合に、交換機が、前記ユーザ端末の通信状態を確認する通信状態確認ステップと、前記通信状態確認ステップにおいて前記ユーザ端末がパケット通信中であることが確認された場合に、前記交換機が、パケット通信中に前記ある通信サービスの着信が発生した旨の通知を前記ユーザ端末に送信する通知ステップと、前記ユーザ端末が、前記通知ステップにおける通知を契機として、前記パケット通信と前記着信との何れを優先するかをユーザに選択させる選択ステップと、前記選択ステップにおける選択結果に応じて、前記パケット通信の切断処理を実施した後に前記ある通信サービスの着信処理を実施する着信優先処理と、前記ある通信サービスの着信の切断処理を実施すると共に前記パケット通信を継続するパケット通信優先処理と、の何れか一方を実施する接続制御ステップとを有することを特徴とする着信処理選択方法を提供する。
【００１７】
この発明によれば、ユーザは、パケット通信とある通信サービスとの何れを優先するかを自らの意思でフレキシブルに選択することが可能となる。また、どちらの通信サービスが選択されたとしても、パケット通信とある通信サービスとの両方の伝送路を同時に接続することがないように接続制御を行うことができるため、１台のユーザ端末が多くのネットワークリソースを専有するのを防ぐことができる。
【発明の効果】
【００１８】
この発明によれば、ユーザ端末のパケット通信中に他の通信サービスの着信が発生した場合に、パケット通信と他の通信サービスとの何れを優先するかをユーザに自らの意思でフレキシブルに選択させることが可能となる。また、何れの通信サービスが選択されたとしても、パケット通信と他の通信サービスとの両方の伝送路を同時に接続しないように接続制御を行うことができるため、１台のユーザ端末が多くのネットワークリソースを専有するのを防ぐことができる。
【発明を実施するための最良の形態】
【００１９】
以下、図面を参照して、本発明の実施の形態について説明する。
［１．構成］
図１は、本発明の実施形態に係る着信処理選択システムの全体構成を示す図である。同図に示すように、着信処理選択システムは、ユーザが利用する携帯電話機であるユーザ端末１０と、回線交換を制御するＭＳＣ／ＧＭＳＣ（Mobile Switching Center／Gateway MSC；回線交換ノード）２０と、パケット交換を制御するＳＧＳＮ／ＧＧＳＮ（Serving GPRS Support Node／Gateway GPRS Support Node；パケット交換ノード）３０と、無線通信を制御するＵＴＲＡＮ（UMTS Terrestrial Radio Access Network；無線アクセスネットワーク）４０とを含んで構成される。
【００２０】
［１．１．ユーザ端末の構成］
次に、ユーザ端末１０の構成について説明する。ユーザ端末１０は、図示せぬＣＰＵ（Central Processing Unit）、メモリ、通信インターフェース、操作キー、ディスプレイ、スピーカ等のハードウェア、及び、メモリに記憶されるプログラム、データ等のソフトウェアを備えている。メモリに記憶されるソフトウェアには、パケット通信及びテレビ電話通信を行うためのソフトウェアと、パケット通信中にテレビ電話の着信が発生した場合にユーザの選択に応じて接続制御を行うためのプログラムとが含まれている。
【００２１】
ユーザ端末１０が備えるこれらのハードウェア及びソフトウェアによって、図２に示すユーザ端末１０の機能構成が実現される。以下、各機能について説明する。
選択部１１は、ユーザ端末１０のパケット通信中にユーザ端末１０に対するテレビ電話の着信が発生した旨の通知をＭＳＣ／ＧＭＳＣ２０から受けた場合に、パケット通信とテレビ電話着信との何れを優先するかをユーザに選択させる。具体的には、選択部１１は、ユーザ選択画面をディスプレイに表示して、ユーザに選択入力を促す。このユーザ選択画面には、例えば、“パケット通信優先”と“テレビ電話優先”との文字を示すアイコンが表示されており、ユーザは操作キーを操作することによって何れか一方を選択する。なお、ユーザに何れを優先するかを選択させる他の方法としては、例えば、スピーカから音声ガイダンスを出力することにより、音声ガイダンスに従ってユーザに操作キーを操作させる方法が考えられる。
【００２２】
待合部１２は、選択部１１による選択があるまで、テレビ電話着信に対する発側への呼出中の通知処理は行いつつ、着信に関わる処理を待ち合わせる。なお、従来においては、テレビ電話着信に関わる処理として、テレビ電話着信通知の受信を契機にテレビ電話着信を実施するための回線交換接続処理が行われていた。本実施形態においては、テレビ電話着信に関わる処理として、選択部１１による選択を契機に、選択結果に応じて後述するパケット通信優先処理とテレビ電話の着信優先処理との何れか一方が実施される。
【００２３】
接続制御部１３は、選択部１１による選択結果に応じて、パケット通信とテレビ電話との何れか一方の通信を接続するように制御を行う。接続制御部１３の機能をさらに詳細に説明すると、接続制御部１３は着信優先部１３１とパケット通信優先部１３２とを備えている。
着信優先部１３１は、選択部１１においてユーザがテレビ電話着信を優先する旨の選択を行った場合に、着信優先処理を行う。
【００２４】
ここで、着信優先部１３１が行う着信優先処理を以下具体的に説明する。まず、着信優先部１３１は、パケット通信の切断処理を実施するためのパケット通信切断要求をＳＧＳＮ／ＧＧＳＮ３０に送信する。その後、ＳＧＳＮ／ＧＧＳＮ３０からパケット通信の切断処理の完了を通知するパケット通信切断応答を受信した場合に、着信優先部１３１は、テレビ電話着信を実施するための回線交換接続制御処理を行う。ここで、着信優先部１３１が行う回線交換接続制御処理とは、ユーザ端末１０からＭＳＣ／ＧＭＳＣ２０に対してテレビ電話着信接続応答を送信することによってテレビ電話通信用の伝送路（無線ベアラ）を接続する処理をいう。以上が、着信優先部１３１が行う着信優先処理である。
【００２５】
パケット通信優先部１３２は、選択部１１においてユーザがパケット通信を優先する旨の選択を行った場合に、パケット通信優先処理を行う。ここで、パケット通信優先部１３２が行うパケット通信優先処理とは、テレビ電話着信の切断を実施するためのテレビ電話着信切断要求をユーザ端末１０からＭＳＣ／ＧＭＳＣ２０に対して送信すると共に、現在行われているパケット通信をそのまま継続する処理である。
【００２６】
また、パケット通信優先部１３２は、発側ユーザ通知機能１３３を備えている。発側ユーザ通知機能１３３は、テレビ電話着信の切断理由を図示せぬ発側のユーザ端末に通知する。切断理由のメッセージ内容としては、“パケット通信中のためテレビ電話の着信を行うことができませんでした”、“パケット通信優先が選択されたためテレビ電話の着信を切断しました”、“パケット通信優先”等が考えられる。本実施形態においては、発側ユーザ通知機能１３３は、この切断理由をテレビ電話着信切断要求に含めてＭＳＣ／ＧＭＳＣ２０に送信し、ＭＳＣ／ＧＭＳＣ２０を介して切断理由を発側のユーザ端末に通知する。
【００２７】
［１．２．ＭＳＣ／ＧＭＳＣの構成］
次に、ＭＳＣ／ＧＭＳＣ２０の構成について説明する。ＭＳＣ／ＧＭＳＣ２０は、テレビ電話の回線交換を行う機能を有する交換機である。ＭＳＣ／ＧＭＳＣ２０は、ＣＰＵ、記憶装置、通信インターフェース等のハードウェアと、記憶装置に記憶されるソフトウェアとを備えており、一般的なコンピュータと同様の構成を有している。記憶装置に記憶されるソフトウェアには、ユーザ端末１０へのテレビ電話着信時にユーザ端末１０のパケット通信状態を確認するためのプログラム、パケット通信中にテレビ電話着信があったことをユーザ端末１０に通知するためのプログラム、接続制御を行うためのプログラム等が含まれている。
【００２８】
ＭＳＣ／ＧＭＳＣ２０が備えるこれらのハードウェア及びソフトウェアにより、図３に示す機能構成がＭＳＣ／ＧＭＳＣ２０に実現される。以下、各機能について説明する。
パケット状態確認部２１は、図示せぬ発側のユーザ端末から図示せぬ発側の交換機を介して、ユーザ端末１０に対するテレビ電話着信を受信した場合に（ユーザ端末１０に対する着信が発生した場合に）、ＳＧＳＮ／ＧＧＳＮ３０に問い合わせを行うことによってユーザ端末１０のパケット通信状態を確認する。
【００２９】
待合部２４は、パケット状態確認部２１によりユーザ端末１０がパケット通信中であることが確認された場合に、テレビ電話を接続するために必要となる無線ベアラの確立を待ち合わせる。
通知部２２は、パケット状態確認部２１によりユーザ端末１０がパケット通信中であることが確認された場合には、パケット通信中にテレビ電話着信が発生した旨の通知をユーザ端末１０に送信する。本実施形態においては、通知部２２は、ユーザ端末１０のパケット通信状態がパケット通信中である旨を示す情報を、テレビ電話着信通知に含めてユーザ端末１０に送信する。
【００３０】
接続制御部２３は、パケット通信及びテレビ電話の通信の接続制御を行う。接続制御部２３の機能を詳細に説明すると、接続制御部２３は着信優先部２３１とパケット通信優先部２３２とを備えている。
着信優先部２３１は、ユーザ端末１０を利用するユーザによってテレビ電話を優先する旨の選択がなされた場合に着信優先処理を行う。
【００３１】
ここで、着信優先部２３１が行う着信優先処理を以下具体的に説明する。まず、着信優先部２３１は、パケット通信の切断処理が完了した後に、テレビ電話着信を実施するための回線交換接続制御処理を行う。ここで、着信優先部２３１が行う回線交換接続制御処理とは、伝送路の確立指示を行うことにより、テレビ電話通信用の伝送路を接続する処理をいう。また、パケット通信の切断処理が完了したことは、ユーザ端末１０からテレビ電話着信接続応答を受信することによって認識することができる。
【００３２】
回線接続制御処理の完了後、着信優先部２３１は、テレビ電話着信接続応答を発側の交換機に返信することにより、発側のユーザ端末と着側のユーザ端末１０との間のテレビ電話通信を開始させる。以上が、着信優先部２３１が行う着信優先処理である。
パケット通信優先部２３２は、ユーザ端末１０を利用するユーザによってパケット通信を優先する旨の選択がなされた場合に、パケット優先処理を行う。具体的には、パケット通信優先部２３２は、ユーザ端末１０から受信したテレビ電話着信切断要求に基づいてテレビ電話着信を切断した後、テレビ電話着信切断通知を発側の交換機に送信する。
また、パケット通信優先部２３２は、転送機能２３３を備えている。転送機能２３３は、ユーザ端末１０から送信されてきたテレビ電話着信の切断理由を発側のユーザ端末に転送する。
【００３３】
［２．動作］
次に、上記構成における着信処理選択システムの動作例について説明する。
［２．１．着信時処理］
まず、図４を参照して、ユーザ端末１０に対するテレビ電話の着信時処理について説明する。
まず、ユーザ端末１０は、ＳＧＳＮ／ＧＧＳＮ３０を介してパケット通信を行っている最中である（ステップＳ１）。この時に、ＭＳＣ／ＧＭＳＣ２０が、図示せぬ発側のユーザ端末から発信されたユーザ端末１０に対するテレビ電話着信を受信した場合（ステップＳ２）、ＭＳＣ／ＧＭＳＣ２０のパケット状態確認部２１は、ＳＧＳＮ／ＧＧＳＮ３０に対して該当ユーザ端末１０のパケット通信状態を問い合わせる。ＳＧＳＮ／ＧＧＳＮ３０は、ＭＳＣ／ＧＭＳＣ２０から問い合せを受けたユーザ端末１０のパケット通信状態の確認を行い、ＭＳＣ／ＧＭＳＣ２０に対して確認結果を応答する（ステップＳ３）。
【００３４】
その応答を受けたＭＳＣ／ＧＭＳＣ２０のパケット状態確認部２１は、ユーザ端末１０がパケット通信中であるか否かを確認する。その結果、ユーザ端末１０がパケット通信中であることが確認された場合には、待合部２４はテレビ電話を接続するために必要となる無線ベアラの確立を待ち合わせると共に、通知部２２はユーザ端末１０のパケット通信状態がパケット通信中である旨を示す情報を含むテレビ電話着信通知を、ユーザ端末１０へ送信する（ステップＳ４）。
【００３５】
ユーザ端末１０はＭＳＣ／ＧＭＳＣ２０からの通知によって、自端末１０のパケット通信中に自端末１０に対するテレビ電話着信が発生したことを認識する。選択部１１は、“パケット通信優先”と“テレビ電話優先”とが表示されたユーザ選択画面をユーザ端末１０のディスプレイ上に表示する（ステップＳ５）。待合部１２は、ユーザがユーザ選択画面上の“パケット通信優先”と“テレビ電話優先”との何れかの選択を実施するまで、発側への呼出中の通知処理は行いつつ、テレビ電話着信に関わる処理を待ち合わせる。
【００３６】
［２．２．テレビ電話優先処理］
次に、図５を参照して、着信処理選択システムが行うテレビ電話優先処理について説明する。
上述したステップＳ５で、ユーザがユーザ選択画面上の“テレビ電話優先”を選択した場合に（ステップＳ１１）、着信処理選択システムは着信優先処理を実行する。
具体的には、まず、ユーザ端末１０の着信優先部１３１は、ＳＧＳＮ／ＧＧＳＮ３０へパケット通信切断要求を送出する（ステップＳ１２）。ＳＧＳＮ／ＧＧＳＮ３０は、ユーザ端末１０からのパケット通信切断要求を受けて、パケット通信を切断する処理を行う。ＳＧＳＮ／ＧＧＳＮ３０は、パケット通信の切断が完了したことをユーザ端末１０へ通知するために、ユーザ端末１０にパケット通信切断応答を送信する（ステップＳ１３）。
【００３７】
ユーザ端末１０の着信優先部１３１は、ＳＧＳＮ／ＧＧＳＮ３０からパケット通信切断応答を受信すると、回線交換接続制御処理を開始する。具体的には、着信優先部１３１は、上述したステップＳ４において自端末１０に送信されたテレビ電話着信通知に応答するためのテレビ電話着信接続応答をＭＳＣ／ＧＭＳＣ２０へ返送する（ステップＳ１４）。
【００３８】
テレビ電話着信接続応答を受信したＭＳＣ／ＧＭＳＣ２０は、回線交換の無線ベアラの確立指示を行うことにより、ＵＴＲＡＮ４０とユーザ端末１０との間で無線ベアラの確立処理を実施し（ステップＳ１５）、テレビ電話着信を実施するための伝送路を接続する。以上により回線接続制御処理が完了する。
ＭＳＣ／ＧＭＳＣ２０の着信優先部２３１は、回線接続制御処理の完了後、発側のユーザ端末に対してテレビ電話着信接続応答を送信する（ステップＳ１６）。これにより、発側のユーザ端末と着側のユーザ端末１０とのテレビ電話通信が開始される。
【００３９】
［２．３．パケット通信優先処理］
次に、図６を参照して、着信処理選択システムが行うパケット通信優先処理について説明する。
上述したステップＳ５で、ユーザがユーザ選択画面上の“パケット通信優先”を選択した場合に（ステップＳ２１）、ユーザ端末１０のパケット通信優先部１３２は、テレビ電話着信の切断理由を含むテレビ電話着信切断要求をＭＳＣ／ＧＭＳＣ２０へ送出する（ステップＳ２２）。
【００４０】
ＭＳＣ／ＧＭＳＣ２０のパケット通信優先部２３２は、ユーザ端末１０から受信したテレビ電話着信の切断理由を含むテレビ電話着信切断通知を発側のユーザ端末まで送信する（ステップＳ２３）。発側のユーザ端末は、受信した切断理由を例えばディスプレイ上に表示する。これにより、発側のユーザは切断理由を認識することができる。
ユーザ端末１０のパケット通信優先部１３２は、パケット通信を継続する（ステップＳ２４）。
【００４１】
以上説明したように、ユーザが何れの通信サービスを優先するかを事前設定しておかなくても、ユーザ端末１０のパケット通信中にテレビ電話着信が発生した時点で、ユーザは自らの意思に応じてフレキシブルに何れかの通信サービスを選択することが可能となり、利便性が向上する。また、マルチコールを利用しないため、１台のユーザ端末１０が無線リソース等のネットワークリソースを多く専有することを防ぐことができ、ネットワークリソースを有効に利用することが可能となる。また、発側のユーザに切断理由の通知を行うため、利便性を向上させることができる。
【００４２】
［３．変形例］
以上、本発明の実施形態について説明したが、本発明は係る実施形態に限定されるものではなく、その技術思想の範囲内で様々な変形が可能である。変形例としては、例えば、以下のようなものが考えられる。
（１）上述した実施形態においては、ユーザ端末１０のパケット通信中にユーザ端末１０に対してテレビ電話が着信する場合について説明したが、着信する通信サービスの種類はテレビ電話に限定されることはない。例えば、音声着信、ＶｏＩＰ着信等の、リアルタイムにユーザが応答する必要のある通信サービスを始めとして、様々な種類の通信サービスの着信が考えられる。テレビ電話の着信を他の通信サービスの着信に置き換える場合には、上述した実施形態におけるＭＳＣ／ＧＭＳＣ２０を他の通信サービスの接続制御を行う機能を備えた交換機に置き換えることで、他の通信サービス着信に対応した着信処理選択システムを実現することが可能である。
【００４３】
（２）上述した実施形態においては、ユーザ端末１０は携帯電話機であるとして説明したが、パケット通信と、パケット通信中に着信する他の通信サービスとの両方の通信サービスを受けることが可能な端末であればよく、例えば、ＰＨＳ（Personal Handyphone System）、ＰＤＡ（Personal Digital Assistance）であってもよい。
【産業上の利用可能性】
【００４４】
テレビ電話やパケット通信等、複数の通信サービスの提供を受けることが可能なユーザ端末に利用することが可能であり、パケット通信中に他の通信サービスが着信した時に、ネットワークリソースを専有せずに、ユーザの選択に応じた適切な通信サービスを提供する通信サービス産業に利用可能である。
【図面の簡単な説明】
【００４５】
【図１】本発明の実施形態に係る着信処理選択システムの全体構成を示す図である。
【図２】同実施形態に係るユーザ端末の機能構成を示す図である。
【図３】同実施形態に係るＭＳＣ／ＧＭＳＣの機能構成を示す図である。
【図４】同実施形態に係る着信時処理の手順を示す図である。
【図５】同実施形態に係るテレビ電話優先処理の手順を示す図である。
【図６】同実施形態に係るパケット通信優先処理の手順を示す図である。
【符号の説明】
【００４６】
１０    ユーザ端末
１１    選択部
１２    待合部
１３    接続制御部
１３１  着信優先部
１３２  パケット通信優先部
１３３  発側ユーザ通知機能
２０    ＭＳＣ／ＧＭＳＣ
２１    パケット状態確認部
２２    通知部
２３    接続制御部
２４    待合部
２３１  着信優先部
２３２  パケット通信優先部
２３３  転送機能
３０    ＳＧＳＮ／ＧＧＳＮ
【図１】
2007019999.tif 000003
【図２】
2007019999.tif 000004
【図３】
2007019999.tif 000005
【図４】
2007019999.tif 000006
【図５】
2007019999.tif 000007
【図６】
2007019999.tif 000008